(57)【要約】【課題】工具をカラビナ等に取り付けたときにコードがたるみにくい落下防止具を提供する。【解決手段】落下防止具１０は、作業者側に連結される第１の連結具１２と、工具１３に連結される第２の連結具１４と、第１の連結具１２と第２の連結具１４とを連結するコード部材１５とを備えた落下防止具１０であって、コード部材１５は、一端側に蛇腹の布で包まれた伸縮自在の螺旋コード１７と、他端側に線状コード１８を有し、線状コード１８は、縮小状態の螺旋コード１７の長さより、工具の長さ分だけ短く、コード部材１５の中央部より工具側に近い箇所で螺旋コード１７の端部に形成されたループ部１９と線状コード１８の端部に形成されたループ部２０とが、互いに、一方のループ内に他方のループが通過するチェーン状に連結されることによりコード部材１５が２つ折り状に屈曲自在とされている。【選択図】図１
0003198300.tif 000002
【実用新案登録請求の範囲】
【請求項１】
作業者側に連結される第１の連結具と、工具に連結される第２の連結具と、前記第１の連結具と前記第２の連結具とを連結するコード部材とを備えた落下防止具であって、
前記コード部材は、一端側に蛇腹の布で包まれた伸縮自在の螺旋コードと、他端側に線状コードを有し、
前記線状コードは、縮小状態の前記螺旋コードの長さより、工具の長さ分だけ短く、
前記コード部材の中央部より工具側に近い箇所で、
前記螺旋コードの端部に形成されたループ部と前記線状コードの端部に形成されたループ部とが、
互いに、一方のループ内に他方のループが通過するチェーン状に連結されることにより、
前記コード部材が２つ折り状に屈曲自在とされている
落下防止具。
【考案の詳細な説明】
【技術分野】
【０００１】
本考案は、落下防止具に関し、特に、作業者側からの工具の落下を防止するための落下防止具に関するものである。
【背景技術】
【０００２】
従来、工具の落下を防止するための落下防止具には、作業者の腰ベルトに連結される第１の連結具と、工具に連結される第２の連結具と、第１の連結具と第２の連結具とを連結するコード部材とを備えたものがある（例えば、特許文献１参照）。
【０００３】
上記落下防止具は、コード部材が伸縮自在の螺旋コード、又はコード部材が伸縮自在の螺旋コードと線状コードとにより構成される。そして、コード部材の一端部を第１の連結具を介して作業者の腰ベルトに連結し、コード部材の他端部を第２の連結具を介して工具に連結し、この工具を腰ベルトの側部に設けた工具サック等に収納保持するようにしている。
【０００４】
落下防止具は、工具がコード部材で作業者の腰ベルトに連結されていることにより、高所等で作業する際に、工具を工具サックから取り出して作業をし、この際に工具が手から外れて落下しても、工具が高所から落下することがないようにしている。
【０００５】
しかしながら、従来の落下防止具は、工具を腰ベルトの工具サック等に収納保持している際に、コード部材の長手方向の中央部（螺旋コード又は線状コードの中途部）が大きな円弧で湾曲して下方に垂れた状態になるため、作業者が動き回る際や作業中等にコード部材の中央部が突起物等に引っ掛かり易くなり、作業の邪魔になるという問題があった。
【０００６】
そこで、特許文献２では、作業者側に連結される第１の連結具と、工具に連結される第２の連結具と、第１の連結具と第２の連結具とを連結するコード部材とを備えた工具の落下防止具において、コード部材は長手方向の一部に伸縮自在の螺旋コードを有すると共に、少なくともコード部材の中央部が２つ折り状に屈曲自在とされるようにしている。それにより、コード部材の中央部が突起物等に引っ掛かるのを防止できるようにした。
【先行技術文献】
【特許文献】
【０００７】
【特許文献１】特開２０１２−２３２４０３号公報
【特許文献２】特開２０１４−１５９０６１号公報
【考案の概要】
【考案が解決しようとする課題】
【０００８】
しかしながら、特許文献２に記載されたような落下防止具は、２つ折りの箇所がコード部材の中央部のために、工具をカラビナ等に取り付けたときに線状コードがたるんでしまい、その線状コードのたるみにより作業の時にひっかかりやすいという問題点があった。
【０００９】
そこで、本考案の目的は、工具をカラビナ等に取り付けたときに線状コードがたるみにくい落下防止具を提供することにある。
【課題を解決するための手段】
【００１０】
本考案に係る落下防止具は、上記の目的を達成するために、次のように構成される。
【００１１】
落下防止具は、作業者側に連結される第１の連結具と、工具に連結される第２の連結具と、前記第１の連結具と前記第２の連結具とを連結するコード部材とを備えた落下防止具であって、前記コード部材は、一端側に蛇腹の布で包まれた伸縮自在の螺旋コードと、他端側に線状コードを有し、前記線状コードは、縮小状態の前記螺旋コードの長さより、工具の長さ分だけ短く、前記コード部材の中央部より工具側に近い箇所で、前記螺旋コードの端部に形成されたループ部と前記線状コードの端部に形成されたループ部とが、互いに、一方のループ内に他方のループが通過するチェーン状に連結されることにより、前記コード部材が２つ折り状に屈曲自在とされている。
【考案の効果】
【００１２】
本考案によれば、２つに折れ曲がる位置が中央部より工具側に設け、線状コードは、縮小状態の螺旋コードの長さより、工具の長さ分だけ短くしたので、工具をカラビナ等に取り付けたときにコードがたるみにくい落下防止具を提供することができる。
【図面の簡単な説明】
【００１３】
【図１】本考案の実施形態に係る落下防止具の全体正面図である。
【図２】本考案の実施形態に係る同落下防止具で工具を腰ベルトに連結した状態の斜視図である。
【考案を実施するための形態】
【００１４】
図１は、本考案の実施形態に係る落下防止具の全体正面図である。落下防止具１０は、作業者の腰ベルト１１（作業者側）に連結される第１の連結具１２と、工具１３に連結される第２の連結具１４と、第１の連結具１２と第２の連結具１４とを連結するコード部材１５とを備えている。
【００１５】
コード部材１５は、一端側に蛇腹の布１６で包まれた伸縮自在の螺旋コード１７と、他端側に線状コード１８を有し、線状コード１８は、縮小状態の螺旋コード１７の長さより、工具１３の長さ分だけ短く、コード部材１５の中央部より工具側に近い箇所で螺旋コード１７の端部に形成されたループ部１９と線状コード１８の端部に形成されたループ部２０とが連結されることによりコード部材が２つ折り状に屈曲自在とされている。
【００１６】
第１の連結具１２は、ナスカンと称される金具により構成されている。第１の連結具１２は、フック２１とフック２１の開口部を開閉自在に閉鎖する閉鎖片２２とを有する連結具本体２３と、連結具本体２３に取付軸２４廻りに回転自在に支持された連結リング２５とを備えている。閉鎖片２２は弾性線材によりリング状に形成されておりフック２１の開口部を閉じる方向（図の矢印ａ方向）に付勢力を生じるようにその両端部が連結具本体２３に互いにずらされて係合されている。第１の連結具１２はフック２１を介して作業者の腰ベルト１１の止輪２６に着脱自在に連結されている（図２）。
【００１７】
第２の連結具１４は、第１の連結具１２と同様に、ナスカンと称される金具により構成されている。第２の連結具１４は、第１の連結具１２と同様に、フック２１とフック２１の開口部を開閉自在に閉鎖する閉鎖片２２とを有する連結具本体２３と、連結具本体２３に取付軸２４廻りに回転自在に支持された連結リング２５とを備えている。閉鎖片２２は弾性線材によりリング状に形成されていてフック２１の開口部を閉じる方向（図の矢印ａ方向）に付勢力を生じるようにその両端部が連結具本体２３に互いにずらされて係合されている。第２の連結具１４はフック２１により工具１３の取付孔２８に着脱自在に連結されている。
【００１８】
螺旋コード１７は、多数の細いステンレス線を撚り合わせた芯線の周りをポリウレタン製の被覆体で被覆して螺旋状に巻回してなり、長手方向に引っ張ることにより、弾性変形によって５〜８倍程度に伸長し、その引張力を解除することによって元の縮小した状態に戻るようになっており、蛇腹の布１６で包まれている。布１６の両端は、筒状体３１，３２によって固定されている。このように蛇腹の布１６に覆われている事から、作業時に、ロープが絡まないという効果がある。
【００１９】
螺旋コード１７の線状コード１８側の端部にループ部１９が形成され、螺旋コード１７の第１の連結具１２側の端部にループ部３３が形成されている。螺旋コード１７のループ部３３が第１の連結具１２の連結リング２５に鎖状に繋がれ、これにより、螺旋コード１７の端部と第１の連結具１２とが屈曲自在に連結されている。螺旋コード１７のループ部１９及びループ部３３は、螺旋コード１７の端部側を２つ折り状に折り曲げ、そのリング状の折曲部分を残して、その折曲端部と折曲基部とに金属製の筒状体３４，３５を嵌めてかしめる（圧着する）ことにより形成されている。筒状体３４，３５上に柔軟な合成樹脂製の被覆筒体が嵌められている。
このように、２つ折りが可能となっていることから、体より、ループが外側に出る事が少なく、突起物などに引っ掛かりにくいという効果がある。
【００２０】
線状コード１８は、螺旋コード１７と同様に多数の細いステンレス線を撚り合わせた芯線の周りをポリウレタン製の被覆体で被覆してなり、一直線状の硬質なコードとされている。線状コード１８の螺旋コード１７側の端部にループ部２０が形成されている。
【００２１】
線状コード１８のループ部２０が螺旋コード１８の端部のループ部１９に繋がれ、これにより、線状コード１８の端部が螺旋コード１８に屈曲自在に連結されている。
【００２２】
線状コード１８の第２の連結具１４側の端部にループ部３６が形成され、ループ部３６が第２の連結具１４の連結リング２５に鎖状に繋がれることにより、線状コード１８が第２の連結具１４に屈曲自在に連結されている。線状コード１８のループ部２０及びループ部３６は、線状コード１８の端部側を２つ折り状に折り曲げ、そのリング状の折曲部分を残して、その折曲端部と折曲基部とに筒状体３７，３８を嵌めてかしめる（圧着する）ことにより形成され、筒状体３７，３８上に被覆筒体が嵌められている。
【００２３】
図２は、本考案の実施形態に係る同落下防止具で工具を腰ベルトに連結した状態の斜視図である。腰ベルト１１に、止輪２６と共に、ハンマー、モンキーレンチ、ドライバー、ペンチ、電気ドリル等の工具１３を収納保持するカラビナ４０が取り付けられている。
【００２４】
例えば高所で作業をする場合、作業者の腰に装着した腰ベルト１１の止輪２６に、第１の連結具１２のフック２１を係合することにより、落下防止具１０を第１の連結具１２を介して連結し、落下防止具１０の第２の連結具１４をハンマー、モンキーレンチ、ドライバー、ペンチ、電気ドリル等の工具１３の取付孔２８に連結し、その工具１３を腰ベルト１１のカラビナ４０に収納保持しておく。
【００２５】
そして、作業をする際には、工具１３をカラビナ４０から外して、工具１３を手に持って作業をすればよい。この際には、螺旋コード１７が長手方向に引っ張られて、弾性変形によって５〜８倍程度伸長するので、手に持った工具１３でスムーズに作業を行うことができる。このとき、工具１３が不測に手から外れることがあっても、工具１３はコード部材１５で作業者の腰ベルト１１に連結されているため、工具１３が高所から大きく落下することを確実に防止できる。
【００２６】
また、線状コード１８は、縮小状態の螺旋コード１７の長さより、工具１３の長さ分だけ短く、コード部材１５の中央部より工具側に近い箇所で螺旋コード１７の端部に形成されたループ部１９と線状コード１８の端部に形成されたループ部２０とが連結されることによりコード部材が２つ折り状に屈曲自在とされていることによって、コード部材１５は、図２に示すように、工具１３を腰ベルト１１のカラビナ４０に収納保持している際に、コード部材１５が２つ折り状又はＶ字状に屈曲して下方に垂れた状態になり、従来のようにコード部材の長手方向の中央部が大きな円弧で湾曲して下方に垂れた状態になるのを防ぐことができるため、作業者が動き回る際や作業中等に、コード部材１５の中央部が突起物等に引っ掛かるのを効果的に防止でき、コード部材１５が作業の邪魔にならずに済む。
【００２７】
以上のように、本考案によれば、２つに折れ曲がる位置が中央部より工具１３側に設け、線状コード１８は、縮小状態の螺旋コード１７の長さより、工具１３の長さ分だけ短くしたので、工具１３をカラビナ４０等に取り付けたときにコード部材１５がたるみにくくすることができる。
【００２８】
以上の実施形態で説明された構成、形状、大きさおよび配置関係については本考案が理解・実施できる程度に概略的に示したものにすぎず、また数値および各構成の組成（材質）等については例示にすぎない。従って本考案は、説明された実施形態に限定されるものではなく、特許請求の範囲に示される技術的思想の範囲を逸脱しない限り様々な形態に変更することができる。
【産業上の利用可能性】
【００２９】
本考案の落下防止具は、工具が作業者側から落下するのを防止するようにした工具の落下防止具として利用することができる。
【符号の説明】
【００３０】
１０      落下防止具
１１      腰ベルト
１２      第１の連結具
１３      工具
１４      第２の連結具
１５      コード部材
１６      布
１７      螺旋コード
１８      線状コード
１９      ループ部
２０      ループ部
【図１】
0003198300.tif 000003
【図２】
0003198300.tif 000004